(57)【要約】      （修正有）【課題】筆記具を保持したまま書類を扱う作業等を行なう場合にも筆記具が邪魔になることなく、筆記具を安定に装着でき、正しく自然な筆記姿勢をとることができ、繰り返し使用によっても弾性復帰力が失われない耐久性を有し、手部の血行不良や痛みが生ずることなく、及び指の敏捷性を損なうことのない筆記具装着具及び装着具付き筆記具を提供する。【解決手段】筆記具固定部１と、手部装着部３と、エラストマーからなる弾性連結部２とを具備し、基端部３ａが手の平側に位置するとともに基端部３ａから延びる可塑性を有する線状部３ｂが手の平側から手の甲側へと折り返されるように使用者の手部に装着された際、手部装着部３の有効装着部が手の平の人差し指の付け根から手の甲の中央までの長さを有するように設定する。【選択図】図１０
0003190683.tif 000002
【実用新案登録請求の範囲】
【請求項１】
筆記具を使用者の手の平側に装着するための筆記具装着具において、
前記筆記具の柱状本体の周面上に取り付け可能な筆記具固定部と、
使用者の手部に装着可能な手部装着部と、
前記筆記具固定部と、前記手部装着部の基端部とを連結するエラストマーからなる弾性連結部とを具備し、
前記基端部が手の平側に位置するとともに該基端部から延びる可塑性を有する線状部が手の平側から手の甲側へと折り返されるように使用者の手部に装着された際、前記手部装着部の有効装着部が手の平の人差し指の付け根から手の甲の中央までの長さを有するように設定されていることを特徴とする筆記具装着具。
【請求項２】
前記線状部が手の甲側で手の甲の中央にて、さらに折り返されることにより、前記手部装着部の有効装着部が手の平の人差し指の付け根から手の甲の中央までの長さを有するように設定されていることを特徴とする請求項１に記載の筆記具装着具。
【請求項３】
筆記具を使用者の手の平側に装着するための装着具を具備する筆記具において、
前記筆記具には、該筆記具の柱状本体の長手方向に直交する二つの貫通孔が形成されており、
前記装着具が、使用者の手部に装着可能な手部装着部と、前記筆記具に連結するための環状ゴムバネからなる弾性連結部とを具備し、
前記手部装着部の基端部には二つの基端部孔が形成されており、
前記弾性連結部が、前記二つの貫通孔と前記二つの基端部孔とを通ることにより前記筆記具と前記装着具とを連結し、
前記基端部が手の平側に位置するとともに該基端部から延びる可塑性を有する線状部が手の平側から手の甲側へと折り返されるように使用者の手部に装着された際、前記手部装着部の有効装着部が手の平の人差し指の付け根から手の甲の中央までの長さを有するように設定されていることを特徴とする装着具付き筆記具。
【考案の詳細な説明】
【技術分野】
【０００１】
本考案は、筆記具を把持しない状態にて当該筆記具を手の平側に装着するための筆記具装着具、及び斯かる装着具を一体化させた装着具付き筆記具に関する。
【背景技術】
【０００２】
従来より、各種の筆記具保持具が知られている。特許文献１は、指帯と筆記具保持部とからなり、指帯を中指に嵌装して、拇指及び示指によって筆記具保持部又はそれに保持された筆記具を挟把し得るようにした筆記具ホルダーを開示している。
【０００３】
また、特許文献２は、円筒金具と板ばね止め具とを、つる巻きばねで連結した筆記具保持器を人差し指に固定することを開示している。
【０００４】
また、特許文献３は、円筒金具と板ばね止め具とを、つる巻きばねで連結した筆記具保持器を手の平に固定することを開示している。
【０００５】
さらに、特許文献４は、筆記具を使用者の手の平側に保持するための筆記具保持具であって、筆記具の柱状本体の周面上に取付け可能な筆記具固定部と、使用者の手部に対して巻き付け可能な手部装着部と、筆記具固定部と手部装着部の基端部とを連結する弾性連結部とを具備し、手部装着部の形状が、使用者の手部に装着された際、基端部が手の平側に位置すると共に基端部から延びる帯状部が手の平側から手の甲側へと折り返されさらに手の平側へと折り返される形状であり、かつ帯状部の縁に丸みを設けた筆記具保持具、並びにこのような筆記具保持具を一体化させた保持具付き筆記具を開示している。
【先行技術文献】
【特許文献】
【０００６】
【特許文献１】特公昭３２−８２１７号公報
【特許文献２】実開昭５４−４８７４４号公報
【特許文献３】実開昭５８−３８４８８号公報
【特許文献４】実用新案登録第３１０５９７５号公報
【考案の概要】
【考案が解決しようとする課題】
【０００７】
特許文献１において開示されている筆記具ホルダーの場合、筆記具が手の外側に保持されるため、筆記具を保持したまま書類を扱う作業を行なうとき等には、筆記具が当該作業の邪魔となるという問題があった。また、筆記具が中指に保持されるため、これを用いて筆記するときには、筆記姿勢がグラつき、正しい自然な筆記姿勢をとることが困難であった。
【０００８】
また、特許文献２が開示する筆記具保持器においては、円筒金具が人差し指の付け根付近を緊縛する場合があり、長時間これを使用すると人差し指の付け根付近の血行不良や痛みが生ずることがあり、また人差し指の鋭敏性が損なわれることがあった。
【０００９】
また、特許文献３が開示する筆記具保持器においては、円筒金具と板ばね止め具との連結をつる巻きばねで行うため、つる巻きばねが繰り返し使用に対して耐久性が不足し、弾性復帰力が短期間で失われてしまうことがあった。また、板ばね止め具によって、筆記具保持器を手の平に固定するものであるため、安定に保持することが困難な場合があり、また手部の血行不良や痛みが生ずることがあった。
【００１０】
また、特許文献４が開示する筆記具保持具等においては、手部装着部によって手の平から手の甲まで手部を一周するように緊縛するため、指先の血行不良や痛みが生ずることがあり、また親指や人差し指の敏捷性が損なわれることがあった。
【００１１】
そこで、本考案の目的は、筆記具を保持したまま書類を扱う作業等を行なう場合にも筆記具が邪魔になることなく、筆記具を安定に装着でき、正しい自然な筆記姿勢をとることができ、繰り返し使用によっても弾性復帰力が失われない耐久性を有し、及び手部の血行不良や痛みが生ずることなく、その結果指の敏捷性を損なうことのない筆記具装着具及び装着具付き筆記具を提供することである。
【課題を解決するための手段】
【００１２】
上記目的を達成するために、本考案の筆記具装着具は、筆記具を使用者の手の平側に装着するための筆記具装着具において、前記筆記具の柱状本体の周面上に取り付け可能な筆記具固定部と、使用者の手部に装着可能な手部装着部と、前記筆記具固定部と、前記手部装着部の基端部とを連結するエラストマーからなる弾性連結部とを具備し、前記基端部が手の平側に位置するとともに該基端部から延びる可塑性を有する線状部が手の平側から手の甲側へと折り返されるように使用者の手部に装着された際、前記手部装着部の有効装着部が手の平の人差し指の付け根から手の甲の中央までの長さを有するように設定されていることを特徴とする。
【００１３】
本考案の筆記具装着具は、好ましくは、前記線状部が手の甲側で手の甲の中央にて、さらに折り返されることにより、前記手部装着部の有効装着部が手の平の人差し指の付け根から手の甲の中央までの長さを有するように設定されていることを特徴とする。
【００１４】
また、本考案の筆記具を使用者の手の平側に装着するための装着具を具備する筆記具において、前記筆記具には、該筆記具の柱状本体の長手方向に直交する二つの貫通孔が形成されており、前記装着具が、使用者の手部に装着可能な手部装着部と、前記筆記具に連結するための環状ゴムバネからなる弾性連結部とを具備し、前記手部装着部の基端部には二つの基端部孔が形成されており、前記弾性連結部が、前記二つの貫通孔と前記二つの基端部孔とを通ることにより前記筆記具と前記装着具とを連結し、前記基端部が手の平側に位置するとともに該基端部から延びる可塑性を有する線状部が手の平側から手の甲側へと折り返されるように使用者の手部に装着された際、前記手部装着部の有効装着部が手の平の人差し指の付け根から手の甲の中央までの長さを有するように設定されていることを特徴とする。
【考案の効果】
【００１５】
本考案によれば、筆記具は手の平側に装着されることから、筆記具を装着したまま書類を扱う作業等を行なう場合にも筆記具が邪魔になることはない。また、筆記具固定部（又は筆記具の柱状本体）と手部装着部とをエラストマーからなる弾性連結部によって連結されることから、筆記具装着具の繰り返し使用によっても弾性復帰力が失われない耐久性を有するようになる。また、手部装着部の線状部が可塑性を有するとともに、基端部が手の平側に位置するとともに基端部から延びる線状部が手の平側から手の甲側へと折り返されるように使用者の手部に装着された際、手部装着部の有効装着部が手の平の人差し指の付け根から手の甲の中央までの長さを有するように設定されていることから、筆記具を手部に安定且つ容易に装着でき、また、普通に（筆記具装着具等を用いたりせずに）筆記具を把持する場合と同様の無理なく自然で正しい筆記姿勢をとることができ、また、手部の血行不良や痛みが生ずることなく及びその結果指の敏捷性を損なうことがない。
【００１６】
また、本考案の好ましい実施形態においては、線状部が手の甲の中央においてさらに折り返されることにより、手部装着部の有効装着部が手の平の人差し指の付け根から手の甲の中央までの長さを有するように設定されていることから、手部が小さい使用者の場合には、このように手部装着部の長さを調節して有効装着部を設定することにより、安定して筆記具を装着することが可能となる。なお、手部の大きい使用者の場合等、手部装着部を手の甲側では折り返さなくても有効装着部が手の平の人差し指の付け根から手の甲の中央までの長さとなるときには、さらに折り返して調節する必要はない。
【００１７】
また、本考案の装着具付き筆記具においては、柱状本体には、その長手方向に直交する二つの貫通孔が設けられ、基端部には二つの基端部孔が設けられており、弾性連結部が環状ゴムバネであり、該環状ゴムバネが、二つの貫通孔と二つの基端部孔とを通ることにより、柱状本体と基端部とを連結することにより筆記具と装着具とを一体化していることから、柱状本体と基端部との連結において、特殊な材料を必要とせずに、且つ構成をシンプルなものとすることができる。また、これにより把持していた筆記具を離したときに、筆記具が指の付け根のラインに沿った状態である初期位置に確実に復帰することができる。
【図面の簡単な説明】
【００１８】
【図１】図１は、本考案の筆記具装着具の一例を示す平面図である。
【図２】図２は、本考案の筆記具装着具の一例を示す底面図である。
【図３】図３は、本考案の筆記具装着具の一例を示す右側面図である。
【図４】図４は、本考案の筆記具装着具の一例を示す左側面図である。
【図５】図５は、本考案の筆記具装着具の一例を示す正面図である。
【図６】図６は、本考案の筆記具装着具の一例を示す背面図である。
【図７】図７は、図２におけるＡ−Ａ線に沿った断面図である。
【図８】図８は、図３におけるＢ−Ｂ線に沿った断面図である。
【図９】図９は、本考案の筆記具装着具を筆記具（鉛筆）に取り付けた状態の一例を示す斜視図である。
【図１０】図１０は、本考案の筆記具装着具を筆記具（ノック式筆記具）に取り付けた状態の一例を示す斜視図である。
【図１１】図１１は、本考案の筆記具装着具を取り付けた筆記具を用いて筆記を行っている状態の一例を示す外観斜視図である。
【図１２】図１２は、本考案の筆記具装着具を取り付けた筆記具を用いて筆記を行っている状態の別の一例を示す外観斜視図である。
【図１３】図１３は、本考案の筆記具装着具を取り付けた筆記具を離した状態の一例を示す外観図である。
【図１４】図１４は、本考案の装着具付き筆記具の一例を示す平面図である。
【図１５】図１５は、本考案の装着具付き筆記具の一例を示す側面図である。
【図１６】図１６は、本考案の装着具付き筆記具に使用する筆記具の一例を示す右側面図である。
【図１７】図１７は、本考案の装着具付き筆記具に使用する装着具の基端部の一例を示す拡大右側面図である。
【図１８】図１８は、本考案の筆記具装着具又は装着具付き筆記具の使用例の一例を示す図である（算盤）。
【図１９】図１９は、本考案の筆記具装着具又は装着具付き筆記具の使用例の一例を示す図である（スマートフォン）。
【図２０】図２０は、本考案の筆記具装着具又は装着具付き筆記具の使用例の一例を示す図である（ピアノ）。
【図２１】図２１は、本考案の筆記具装着具又は装着具付き筆記具の使用例の一例を示す図である（学習）。
【図２２】図２２は、本考案の筆記具装着具又は装着具付き筆記具の使用例の一例を示す図である（計算機）。
【図２３】図２３は、本考案の筆記具装着具又は装着具付き筆記具の使用例の一例を示す図である（パソコン）。
【考案を実施するための形態】
【００１９】
以下に、本考案の実施形態に係る筆記具装着具及び装着具付き筆記具について図面を参照しながら説明する。なお、実施形態を説明する全図において、共通の構成要素には同一の符号を付し、繰り返しの説明を省略する。
【００２０】
図１乃至６はそれぞれ、本考案の第一実施形態に係る筆記具装着具の平面図、底面図、右側面図、左側面図、正面図及び背面図である。これらの図に示すように、筆記具装着具１０は、筆記具固定部１、弾性連結部２及び手部装着部３を供えており、筆記具固定部１と手部装着部３は、弾性連結部２を介して連結している。
【００２１】
筆記具固定部１は、図９及び図１０等に示すように筆記具４の柱状本体の周面上に取り付け可能となっている。具体的には、筆記具柱状本体の断面が円形でも多角形でも挿入可能な可撓性と、筆記具柱状本体の周面上の任意の箇所で滑り動くことなく固定可能な適度な弾性を具備する材料からなることが望ましい。例えば、熱可塑性エラストマー及び合成ゴムを含むエラストマーからなる管部材である。あるいは、特定の筆記具柱状本体の断面形状に適合する断面形状をもちかつ滑り動くことなく固定可能な金属製の管部材でもよい。
【００２２】
手部装着部３の基本的な構成は、基端部３ａ及び線状部３ｂからなる。手部装着部３は、図１１乃至図１３等に示すように使用者の手部６に装着可能となっている。具体的には、基端部３ａが手の平６ｂ側の人差し指の付け根に位置するとともに基端部３ａから延びる線状部３ｂが手の平６ｂ側から手の甲６ａ側へと折り返されるように使用者の手部６に装着される。
【００２３】
手部装着部３のうち、少なくとも線状部３ｂは可塑性を有する材料からなる。具体的には、折り曲げ等の変形が自在で金属、例えば銅線等を使用することができる。そのため、使用者の手部６の形状に沿って手部装着部３の形状を変形させて装着し、その形状を維持することが可能であることから、使用者の手部６の形状如何にかかわらず筆記具装着具１０を安定して手部６に装着することが可能となる。
【００２４】
手部装着部３が使用者の手部６に装着された際に、該使用者の手部６に接触するか又は略接触して実質的に筆記具装着具１０の装着に寄与している手部装着部３の領域を有効装着部３ｃと称する。そして、図１１乃至図１３等に示すように基端部３ａが手の平６ｂ側に位置するとともに基端部３ａから延びる線状部３ｂが手の平６ｂ側から手の甲６ａ側へと折り返されるように使用者の手部６に装着された際、有効装着部３ｃが手の平６ｂの人差し指の付け根から手の甲６ａの中央までの長さを有するように設定される。このように有効装着部３ｃを適度な長さに設定することにより、線状部３ｂが可塑性を有することと相俟って、筆記具装着具１０を使用者の手部６に安定的に装着することが可能となる。また、手部装着部３の長さを適度な長さに設定することにより、筆記具装着具１０の装着が容易になり、また、手部６に一周全体に亘って巻き付けることがないため、手部６の血行不良や痛みを生ずることなく及びその結果指の敏捷性を損なうことがない。
【００２５】
また、手部装着部３の少なくとも線状部３ｂの周囲には、好ましくは、柔軟なポリエチレンやポリ塩化ビニル等の汎用熱可塑性樹脂からなる被覆材３ｆで被覆してもよい。これにより、手部装着部３の周囲に柔軟性が付与されることから、より安定かつ快適に手部６に装着することが可能となる。
【００２６】
図７及び図８に示すように、筆記具固定部１と手部装着部３を連結する弾性連結部２は、両者の間に適宜の長さの架橋部２ａが位置する。架橋部２ａの一端である連結基部２ｃは、筆記具固定部１の管壁を貫通し、脱落しないように拡大させた端部を具備する。さらに、架橋部２ａの他端である連結頭部２ｂは、手部装着部３の基端部３ａを貫通し、脱落しないように拡大させた端部を具備する。弾性連結部２の長さ及び太さは適宜設定する。図示の弾性連結部２の取り付け手段は一例であり、これに限定されない。弾性連結部２は、熱可塑性エラストマー及び合成ゴムを含むエラストマーから形成することが好適である。例えば、ウレタンエラストマー、ポリエステルエラストマー、ＮＢＲ、クロロプレンゴム等である。エラストマーからなる弾性連結部２は、変形自在であるとともに繰り返し伸縮させても耐久性がある。
【００２７】
図９及び図１０は、それぞれ、筆記具装着具１０を筆記具４及びノック式筆記具５に取り付けた状態を示す斜視図である。
【００２８】
図１１は、筆記具装着具１０を取り付けた筆記具４を用いて筆記を行っている状態を示す外観斜視図である。この図に示すように、筆記具装着具１０を用いることにより、普通に（筆記具装着具等を用いたりせずに）筆記具を把持する場合と同様の無理なく自然で正しい筆記姿勢をとることができる。また、弾性連結部２がエラストマーであり伸縮変形自在であることから、使用者は、手部６で把持している筆記具４の角度を自在に変えて筆記することができる。
【００２９】
また、図１１に示すように、手部装着部３は、使用者の手部６に装着され、手部装着部３の線状部３ｂの先端が手の甲６ａの中央まで延びている。なお、本考案において、「手の甲の中央」とは、手の甲６ａの略中央の領域であり、例えば、手の甲６ａ側の中指の付け根付近及びその周辺領域であり、使用者の手の形状や好みの装着感によって適宜の箇所を選択できる。
【００３０】
図１３は、筆記具装着具１０を取り付けた筆記具４を離した（即ち、把持しない）状態を示す外観図である。筆記具４は、各指の付け根のラインに平行に沿った初期位置にある。図１１に示す筆記を行っている状態から、指を筆記具４から離せば、弾性連結部２の弾性復帰力により、筆記具４は図１３に示す初期位置に自動的に復帰する。
【００３１】
また、図１３に示すように、筆記具４を離した状態において、筆記具４の先端が、手部６より外側に位置することが好適である。このような長さの筆記具を選択すれば、筆記具４の先端で装着した手の平６ｂを汚すことがない。
【００３２】
図１２は、第二実施形態の筆記具装着具１０’を取り付けた筆記具４を用いて筆記を行っている状態を示す外観斜視図である。この実施形態では、第一実施形態のそれより長い手部装着部３が設けられている。そして、図１２に示すように、線状部３ｂが手の甲６ａ側で手の甲６ａの中央にて、さらに折り返されることにより、手部装着部３の有効装着部３ｃが手の平６ｂの人差し指の付け根から手の甲６ａの中央までの長さを有するように設定されている。ここで、さらに折り返された部分は、調節部３ｄであり、調節部３ｄは筆記具装着具１０’の手部６への装着に実質的に寄与していない部分である。
【００３３】
第二実施形態の構成を採用すれば、手部６が小さい使用者の場合には、このように有効装着部３ｃの長さを調節して設定することにより安定して筆記具４を装着することが可能となる。即ち、第二実施形態では、一つの筆記具装着具１０’を手部６の大きな使用者から小さな使用者まで使用することが可能である。
【００３４】
第二実施形態の他の構成は、第一実施形態と同様の構成を採用することが可能である。
【００３５】
ここで、手部装着部３の構成を整理すると、基本的には上述したように基端部３ａと線状部３ｂからなる。基端部３ａは、主として弾性連結部２によって筆記具固定部１と連結される機能を有し、また、手部６に筆記具装着具１０を装着する機能の一端を担っている。線状部３ｂは、主として手部６に筆記具装着具１０を装着する機能を有している。第一実施形態において、有効装着部３ｃは、手部装着部３全体、即ち、基端部３ａ及び線状部３ｂ全体である。他方、第二実施形態においては、手部装着部３が基端部３ａと線状部３ｂからなることに変わりはないが、該線状部３ｂのうちの一方の（基端部３ａとは反対側の）端部領域は調節部３ｄとなっている。この場合、有効装着部３ｃは、手部装着部３のうち調節部３ｄを除いた部分、即ち、基端部３ａと、線状部３ｂのうち調節部３ｄを除いた部分である（図１５参照）。したがって、第二実施形態において、筆記具装着具１０の装着という機能に着目すると、手部装着部３は、当該機能を有する有効装着部３ｃと、当該機能を有さない調節部３ｄからなる。
【００３６】
図１４乃至図１７は、第三実施形態であり、装着具付き筆記具２０を示している。図１４及び図１５に示すように、装着具付き筆記具２０は、筆記具４、弾性連結部２及び手部装着部３を供えており、筆記具４と手部装着部３は、弾性連結部２を介して一体的に設けられている。なお、第三実施形態は、筆記具固定部１がなく、筆記具と装着具が一体化していることを除き、その他の点では基本的には第一実施形態及び第二実施形態と同じ構成を採用することができる。
【００３７】
図１６は、筆記具４の側面図（右側面図も左側面図も同じ形状）であり、筆記具４の柱状本体の長手方向に直交する二つの貫通孔４ａが設けられている。これらの貫通孔４ａは、前記長手方向に沿って並んで設けられている。
【００３８】
手部装着部３は、基本的には第一実施形態のそれと同様の構成を採用することができる。即ち、少なくとも線状部３ｂは可塑性を有する材料からなり、また手部装着部３は使用者の手部６に装着可能であり、具体的には、基端部３ａが手の平６ｂ側に位置するとともに基端部３ａから延びる線状部３ｂが手の平６ｂ側から手の甲６ａ側へと折り返されるように使用者の手部６に装着され、有効装着部３ｃが手の平６ｂの人差し指の付け根から手の甲６ａの中央までの長さを有するように設定されている。
【００３９】
また、図１４及び図１５に示すように、第三実施形態においても、第二実施形態と同様に、第一実施形態のそれより長い手部装着部３を設けることができ、この場合、線状部３ｂが手の甲６ａ側で手の甲６ａの中央にて、さらに折り返されることにより、手部装着部３の有効装着部３ｃが手の平６ｂの人差し指の付け根から手の甲６ａの中央までの長さを有するように設定されている。具体的には、図１５に示すように、手部装着部３は、有効装着部３ｃと調節部３ｄからなる。有効装着部３ｃは、基端部３ａ及び線状部３ｂの手の平６ｂ側から手の甲６ａ側へと折り返され手の甲６ａの中央まで延びている部分であり、この部分によって実質的に装着具付き筆記具２０が手部６に装着され得るようになる。調節部３ｄは、線状部３ｂが手の甲６ａ側でさらに折り返された箇所から線状部３ｂの先端（基端部３ａと反対側の端）までの部分である。
【００４０】
第三実施形態において、手部装着部３の基端部３ａには二つの基端部孔３ｅが形成されている。これは、例えば、図１７に示すように、線状部３ｂから連続的に設けられた基端部３ａの線状部材を折り曲げてＢ字形状に成形することにより形成することができる。
【００４１】
第三実施形態では、弾性連結部２として環状ゴムバネが使用される。これは第一実施形態の弾性連結部２と同様の素材を用いることができるが、例えば天然又は合成のゴムバネが使用できる。
【００４２】
環状ゴムバネである弾性連結部２は、二つの貫通孔４ａと二つの基端部孔３ｅとを通ることにより筆記具の柱状本体と装着具の基端部３ａとを連結することにより筆記具と装着具を一体的に設けている。
【００４３】
第三実施形態においても、第一実施形態及び第二実施形態と同様の作用効果を奏し得るが、加えて、上述した筆記具と装着具を連結する構成を採用することによって、当該連結にあたり特殊な素材を必要とせず且つシンプルな構成とすることができる。また、これにより把持していた筆記具を離したときに、筆記具が指の付け根のラインに沿った状態である初期位置に確実に復帰することができる。
【符号の説明】
【００４４】
１    筆記具固定部
２    弾性連結部
２ａ    連結架橋部
２ｂ    連結頭部
２ｃ    連結基部
３    手部装着部
３ａ    基端部
３ｂ    線状部
３ｃ    有効装着部
３ｄ    調節部
３ｅ    基端部孔
３ｆ    被覆材
４    筆記具
４ａ    貫通孔
５    ノック式筆記具
６    手部
６ａ    手の甲
６ｂ    手の平
１０、１０’  筆記具装着具
２０  装着具付き筆記具
【図１】
0003190683.tif 000003
【図２】
0003190683.tif 000004
【図３】
0003190683.tif 000005
【図４】
0003190683.tif 000006
【図５】
0003190683.tif 000007
【図６】
0003190683.tif 000008
【図７】
0003190683.tif 000009
【図８】
0003190683.tif 000010
【図９】
0003190683.tif 000011
【図１０】
0003190683.tif 000012
【図１１】
0003190683.tif 000013
【図１２】
0003190683.tif 000014
【図１３】
0003190683.tif 000015
【図１４】
0003190683.tif 000016
【図１５】
0003190683.tif 000017
【図１６】
0003190683.tif 000018
【図１７】
0003190683.tif 000019
【図１８】
0003190683.tif 000020
【図１９】
0003190683.tif 000021
【図２０】
0003190683.tif 000022
【図２１】
0003190683.tif 000023
【図２２】
0003190683.tif 000024
【図２３】
0003190683.tif 000025